(57)【要約】【課題】各内臓に対応した色によってこれらの内臓と経絡を介して関係しているツボや反射区を刺激することで、専門的な施療技術や知識を必要とせずに快適に施療を行うことのできる色刺激健康器を提供する。【解決手段】陰陽五行説において内臓と関係付けられている色、すなわち、肝臓、胆嚢に対応する青色、心臓、小腸に対応する赤色、胃、脾臓に対応する黄色、肺、大腸に対応する白色、腎臓、膀胱に対応する黒色のうち、少なくとも一つの色の光を生成して、前記色に関係する内臓に対応する身体表面のツボの位置または反射区の領域に前記色の光を当てるようにした発色手段を備えている。【選択図】  図１
2004174086.tif 000002
【特許請求の範囲】
【請求項１】
陰陽五行説によって内臓と関係付けられている色のうちの少なくとも一つの色の光を生成して、前記色に関係する内臓に対応する身体表面のツボの位置または反射区の領域に、前記色の光を当てるようにした発色手段を備えていることを特徴とする色刺激健康器。
【請求項２】
発色手段が特定の色の光を発光させる少なくとも一つの光源で構成され、前記発色手段の色に関係する内臓のツボの位置または反射区の領域に前記光源によって色刺激を与えるようにしたことを特徴とする請求項１記載の色刺激健康器。
【請求項３】
陰陽五行説によって黒色と関係付けられている内臓のツボの位置または反射区の領域に対応させて可視光を発色する光源を配置し、この光源の明滅の繰り返しにより前記反射区またはツボに黒色刺激を与えるようにしたことを特徴とする請求項２記載の色刺激健康器。
【請求項４】
発色手段が少なくとも一つの内臓に対応する反射区の領域またはツボの上を覆って、外光の中から前記内臓に関係する色の光のみ透過する柔軟素材で構成されていることを特徴とする請求項１記載の色刺激健康器。
【発明の詳細な説明】
【０００１】
【発明の属する技術分野】
本発明は、身体の表面に分布している、特定の内臓と関係しているツボまたは反射区を、漢方医学の陰陽五行説に基づいて内臓と関係付けられている色で刺激する色刺激健康器に関する。
【０００２】
【従来の技術】
従来、東洋医学によれば、ツボという点や反射区という領域が身体の表面の各部に分散して存在しており、これらのツボや反射区は、人体に神経、血管、リンパ管と同様に張り巡らされている経絡というルートを介してそれぞれ特定の内臓と関係していることが知られている。
【０００３】
これらの経絡のうち、足部に存在するツボや反射区と各内臓を関係付けている経絡は、胃経、脾経、膀胱経、腎経、胆経、肝経の６つであり、また、手腕部に存在するツボや反射区と各内臓を関係づけている経絡は、肺経、大腸経、心経、小腸経、心包経、三焦経の６つである。
【０００４】
そして、従来では、所定の内臓と関係しているツボや反射区を揉んだり叩いたりして機械的な刺激を加えたり、鍼灸や低周波の電気パルスで刺激することにより、その内臓の機能を活性化したり、機能障害を取り除いたりする治療が行われている（例えば特許文献１参照）。
【０００５】
【特許文献１】
特開平１１−２５３５２５号公報
【０００６】
【発明が解決しようとする課題】
しかしながら、鍼灸の施療を行う場合には専門的な知識や技術を必要とし、また、揉んだり、電気パルスで刺激する場合、人によっては、不快感を覚えることがあり、施療に困難をきたす場合もあった。
【０００７】
一方、漢方の基礎理論の根底をなす陰陽五行説では、各内臓にそれぞれ特有な色が対応するという思想がある。すなわち、青色は肝臓、胆嚢、赤色は心臓、小腸、黄色は胃、脾臓、白色は肺、大腸、黒色は腎臓、膀胱にそれぞれ対応しているとされている。
【０００８】
そこで、本発明は、従来のツボや反射区に対する施療方法の問題を解消し、各内臓に対応した色によってこれらの内臓と経絡を介して関係しているツボや反射区を刺激することで、専門的な施療技術や知識を必要とせずに快適に施療を行うことのできる色刺激健康器を提供することを目的とする。
【０００９】
【課題を解決するための手段】
前記目的を達成するため、本発明の色刺激健康器は、陰陽五行説によって内臓と関係付けられている色のうち、少なくとも一つの色の光を生成して、前記色に関係する内臓に対応する身体表面のツボの位置または反射区の領域に前記色の光を当てるようにした発色手段を備えたものである。
【００１０】
本発明の色刺激健康器においては、発色手段が特定の色の光を発光させる少なくとも一つの光源で構成され、前記発色手段の色に関係する内臓のツボの位置または反射区の領域に前記光源によって色刺激を与えるようにしていることが望ましい。
【００１１】
また、この場合、陰陽五行説によって、黒色と関係付けられている内臓の反射区の領域、または、ツボの位置に対応させて可視光を発色する光源を配置し、この光源の明滅の繰り返しにより前記反射区またはツボに黒色刺激を与えるようにしてあることがさらに望ましい。
【００１２】
また、本発明の色刺激健康器においては、発色手段が少なくとも一つの内臓に対応する反射区の領域またはツボの上を覆って、外光の中から前記内臓に関係する色の光のみ透過する柔軟素材で構成されていることも望ましい。
【００１３】
なお、この場合、黒色に関係する内臓に対応する反射区の領域またはツボの上を覆う柔軟素材は、全ての色の光を遮光する柔軟素材で構成することができる。
【００１４】
【発明の実施の形態】
図１は、本発明の色刺激健康器の１実施形態を示す斜視図、図２はその上面パネルの主要部分を示す平面図であって、本実施形態は、足裏部の反射区をそれぞれ固有の色を発色する発光ダイオードの光によって刺激するものである。
【００１５】
これらの図に示す色刺激健康器１は、床上に置いてその平坦な上面パネル１Ａ上に描かれている左右の足裏部の輪郭線２、３の中に両足を載せて使用するものである。
【００１６】
図２に示すように、これらの輪郭線２、３の中にはさらに、前述した陰陽五行説で指定されている５色、すなわち青色、赤色、黄色、白色、黒色の５色で色分けされた、足裏の各反射区に対応した領域４Ａ、４Ｂ、４Ｃ、４Ｄ、４Ｅが表示されている。
【００１７】
ここで、青色の領域４Ａは肝臓、胆嚢、赤色の領域４Ｂは心臓、小腸、黄色の領域４Ｃは胃、脾臓、白色の領域４Ｄは肺、大腸、黒色の領域４Ｅは腎臓、膀胱にそれぞれ対応している。
【００１８】
このうち、領域４Ａ〜４Ｄには、それぞれに対応した色で発光する発光ダイオード５Ａ〜５Ｄと、緑色で発光する発光ダイオード６が混在して設けられている。
【００１９】
ここで、黒色の領域４Ｅだけは、緑色に発光する発光ダイオード６のみが設けられている。また、各領域４Ａ〜４Ｄとも、発光ダイオードは同様な密度で一様に分散配置されている。
【００２０】
さらに、足裏部の輪郭線２、３内の、これらの領域４Ａ〜４Ｅに含まれない部分には、緑色で発光する発光ダイオード６が各領域４Ａ〜４Ｅ内よりも粗い密度で分散配置されている。
【００２１】
次に、図３は領域４Ａ内における発光ダイオード５Ａの取り付け構造を示す断面図であって、他の領域４Ｂ〜４Ｅに設けられている発光ダイオード５Ｂ〜５Ｄ及び６や、これらの領域外の輪郭線２、３内に配置されている発光ダイオード６についても、発光ダイオード５Ａと同様な取り付け構造となっている。
【００２２】
同図に示すように、色刺激健康器１の上面パネル１Ａは、厚く強度を有する透明なアクリル樹脂等の素材で形成されていて、この下面に領域４Ａを表示するための樹脂製のカラーパネル７が重ねて設けられている。
【００２３】
カラーパネル７は、図示の領域４Ａでは青色のものが用いられているが、他の領域４Ｂ〜４Ｅにおいては、それぞれ、赤色、黄色、白色、黒色のものが用いられている。
【００２４】
発光ダイオード５Ａは、カラーパネル７の下に配置されている回路基板８上に一対の端子９が半田付けされて固定されており、カラーパネル７に形成された孔１０と、前記孔１０に対応して上面パネル１Ａの裏面側に形成された凹部１１内に収容されている。
【００２５】
本実施形態においては、前記凹部１１に対応した位置の上面パネル１Ａの表面は、ドーム状に膨出した凸部１２となっていて、この凸部１２が足裏部を刺激して指圧のようなマッサージ効果も色刺激と併せて得られるようになっている。
なお、上面パネル１Ａの表面は、凸部１２を設けずに平坦に形成してもよい。
【００２６】
また、図１に示すように、色刺激健康器１の上面パネル１Ａの前端側には、各発光ダイオード５Ａ〜５Ｄ及び発光ダイオード６の明滅動作を制御するための複数のボタンが配列された操作パネル１Ｂと、前記操作パネル１Ｂによる操作と同様な操作を行うことのできる、図示しない赤外線リモートコントローラからの操作信号を受光するための赤外線受光窓１Ｃが設けられている。
【００２７】
なお、本実施形態の色刺激健康器１は、外部の家庭用電源から図示していない電源コードを介して給電される構造になっているが、乾電池や充電バッテリーを内蔵し、外部電源の無い場所で使用できるようにしてもよい。
【００２８】
次に、前述した色刺激健康器１の使用方法を説明する。この色刺激健康器１の使用者は、椅子やソファ等に腰掛けた状態で、両足を上面パネル１Ａの上に載せる。
【００２９】
ここで、両足の周囲をそれぞれ輪郭線２、３の内側に合わせるようにすると、足裏部の各反射区を上面パネル１Ａ上の各領域４Ａ〜４Ｅに対向させることができる。この状態で、操作パネル１Ｂ上に配置されている操作ボタンまたは赤外線リモートコントローラに設けられている操作ボタンを押して施療を開始する。
【００３０】
操作ボタンは、各反射区に対応するそれぞれの領域４Ａ〜４Ｅを個別に指定して、指定した反射区のみに色刺激を与える個別モード、それぞれの反射区に対して順番に所定時間ずつ色刺激を与える連続モード、及び、色刺激健康器１を施療に使用しない場合でもインテリアとして、発光ダイオード５Ａ〜５Ｄと発光ダイオード６の５色を明滅させる電飾モードの３つを選択することができる。
【００３１】
また、本実施形態の色刺激健康器１は、施療時間を所望の時間に設定するタイマー機能や、発光ダイオード５Ａ〜５Ｄと発光ダイオード６の明滅の周期を設定する機能を有している。
【００３２】
なお、各発光ダイオード５Ａ〜５Ｄと発光ダイオード６の明滅は、互いに逆位相になっており、例えば、発光ダイオード５Ａが発光すると発光ダイオード６は消え、発光ダイオード６が発光すると発光ダイオード５Ａは消えるようなタイミングで明滅する。
【００３３】
ここで、例えば、肝臓の機能を高めようとするときは、個別モードにおける、青色の反射区に対応する領域４Ａを色刺激する操作ボタンを押す。そうすると、領域４Ａに配置されている青色に発光する発光ダイオード５Ａと、この領域４Ａ内部や外部に配置されている緑色に発光する発光ダイオード６がそれぞれ一斉に明滅を開始する。
【００３４】
この時、領域４Ａに対応している足裏部の反射区には青色の光を当てればよいわけであるが、青色の連続光をその反射区に当てると身体が色刺激に慣れてしまって施療効果が低下するため、陰陽五行説で指定されている５色以外の色、例えばここでは緑色の光と交互に明滅させることで、反射区が効果的に刺激されるようにしている。
【００３５】
また、領域４Ｂ〜４Ｄについてもそれぞれに対応する操作ボタンを押すことによって、各反射区に同様に色刺激を与えることができる。
【００３６】
一方、領域４Ｅについては、これに対応する操作ボタンを押すと、緑色に発光する発光ダイオード６のみが明滅を繰り返す。これによって、黒色の領域４Ｅに対向する足裏部の反射区には、発光ダイオード６が消えたときに黒色の刺激が与えられる。
【００３７】
なお、本実施形態においては、個別モードにおいては、それぞれの領域に対応する操作ボタンを押してから所定時間、例えば１０秒間発光ダイオードが明滅を繰り返して終了する。
【００３８】
一方、連続モードを選択すると、前述した個別モードにおける各領域４Ａ〜４Ｅに対応する各発光ダイオードの明滅を順番に一通り繰り返して終了する。
なお、この連続モードにおいては、各色の発光ダイオードの発光順序をランダムに設定したり、また、例えば、領域４Ａと領域４Ｃというように、所望の領域のみを選択して設定できるようにしてもよい。
【００３９】
また、電飾モードを選択した場合には、青色、赤色、黄色、白色の４色の発光ダイオード５Ａ、５Ｂ、５Ｃ、５Ｄと緑色の発光ダイオード６とが交互に明滅を繰り返し、色刺激健康器１を施療に使用しない場合に、これをインテリアとしても使用することができる。
【００４０】
なお、足裏部の反射区に対する色刺激がより効果的になるように、上面パネル１Ａ上で使用者の足裏部側の血流の脈動を検出する感圧センサを設け、この感圧センサの出力に各発光ダイオードの明滅の周期を同期させるようにしてもよい。
【００４１】
次に、図４は、前述した色刺激健康器１と同様な構造でサンダル型にしたものである。この色刺激健康器２１は、その上面２１Ａが前述した実施形態における色刺激健康器１の図２に示したような各領域４Ａ〜４Ｅと同様な色分けがなされており、それぞれの領域にはそれぞれ対応した発色を行う発光ダイオード及び緑色の発光ダイオードが設けられている。
【００４２】
色刺激健康器２１の内部には、これらの発光ダイオードを明滅させるための回路と電源が組み込まれていて、各領域に配置された青色、赤色、黄色、白色の発光ダイオードの群と、緑色の発光ダイオードの群とは交互に明滅を繰り返すようになっている。
【００４３】
なお、これらの発光ダイオードの明滅のタイミングは、サンダル型の色刺激健康器２１の内部に荷重センサを内蔵して、歩行の際に荷重センサに加わる荷重の変動に同期させるようにしてもよい。
【００４４】
また、サンダル型の色刺激健康器は、発光ダイオード等の光源を内蔵せずに、例えば、透明樹脂で光が透過するように形成した周面から内部に入射した光を鏡やプリズム等で上方に反射または屈折し、さらに、青色、赤色、黄色の着色フィルタや透明フィルタ等が設けられた上面を通して足裏部のそれぞれの反射区へ目的の色の光が当たるように構成してもよい。なお、この構造のものでは、黒色の反射区に対応する上面部分は光を通さないようになっている。
【００４５】
次に、図５に示す実施形態は色刺激健康器を指輪型に形成したものであって、この実施形態における色刺激健康器３１は、柔軟に弾性変形可能なシリコーンゴム製のリング状の本体３１Ａに内蔵された赤色または白色に発光する発光ダイオードの光を、本体３１Ａ内周に設けられた集光レンズ３２を通して、指表面のツボに当てるようになっている。
【００４６】
前記本体３１Ａには、図示の位置の裏側にある操作ボタンを押すことにより、所定時間（例えば１５秒間）発光ダイオードを明滅させる回路と電池が内蔵されている。本実施形態においては、色刺激健康器３１は、発光ダイオードの色毎に複数種類用意されている。
【００４７】
図６は、手腕部の経絡に対して陰陽五行説によって対応付けられている色を示すものであって、親指側を通る肺経と大腸経に対しては白色、小指側を通る心経と小腸経に対しては赤色が対応している。
また、腕の中央を通る心包経と三焦経については、陰陽五行説では対応する色はないが、ここでは経験的に好適と見られる、琥珀色または赤色を対応させてある。
【００４８】
したがって、指輪型の色刺激健康器３１を使用するときには、親指と人差し指にある肺経及び大腸経の経絡上のツボを色刺激する場合、白色の発光ダイオードのものを、小指にある心経と小腸経の経絡上のツボを刺激する場合には、赤色の発光ダイオードを、そして、中指と薬指にある心包経と三焦経の経絡上のツボを刺激する場合には琥珀色または赤色の発光ダイオードのものを使用する。
【００４９】
次に、図７には、本発明のさらに別の実施形態として、手袋型の色刺激健康器と手首バンド型の色刺激健康器を示している。
同図に示す手袋型の色刺激健康器４１は、前述した図６に示すように色分けされる領域に対応するように、手の甲の親指側の一部と、親指と人差し指の領域が白色に、手の甲の中央部と中指と薬指の領域が琥珀色または赤色に、手の甲の小指側の一部と小指の領域が赤色に、それぞれ色分けされた柔軟で伸縮性に富む光透過性繊維で形成されている。
【００５０】
したがって、太陽光や室内灯の白色光は、この手袋型の色刺激健康器４１を透過することによって色がつき、手指のそれぞれの色に関係するツボに色刺激を与えることができる。
【００５１】
また、同図に示す手首バンド型の色刺激健康器５１は、前述の手袋型色刺激健康器４１と同様な柔軟で伸縮性に富む光透過性繊維で製作されていて、手首ないし前腕部に装着して使用するものである。
【００５２】
前記色刺激健康器５１は、色刺激健康器４１と同様に親指側が白色に、中央部が琥珀色または赤色に、小指側が赤色に色分けされていて、それぞれの領域を透過した太陽光や室内灯の白色光が色刺激健康器５１の下にあるツボに色刺激を与えるようになっている。
【００５３】
図８は、本発明のさらに別の実施形態を示すもので、この靴下型の色刺激健康器６１は、前述した手袋型の色刺激健康器４１と同様にして足部のツボを色刺激するようにしたものである。この色刺激健康器６１も柔軟で伸縮性に富む光透過性繊維によって製作されていて、陰陽五行説で指定されている色に対応した経絡やツボがある足の表面を覆う部分毎に色分けされている。なお、黒色に対応する部分には、外光を遮断する素材が使用されている。
【００５４】
図９は、本発明のさらに別の実施形態を示すもので、この足首バンド色刺激健康器７１は図７に示した手首バンド型の色刺激健康器５１と同様に所定の領域毎に色分けされた素材で足首に装着して使用するようにしたものである。
【００５５】
さらに、図１０は、本発明のさらに別の実施形態を示すもので、これは、入浴中に人体の各部に分布しているツボに色刺激を与えるようにしたものである。
【００５６】
すなわち、同図に示すように、色刺激健康器８１は、浴槽８１Ａとして構成されていて、その内壁面に複数の投光窓８２が設けられている。そして、これらの投光窓８２の内部にはそれぞれ、複数の発光ダイオードが発色手段として組み込まれている。
【００５７】
これらの発光ダイオードは、青色、赤色、黄色、白色、緑色の５つの発光色のものがそれぞれの投光窓８２の内側に内蔵されている。そして、これらの発光ダイオードは選択的に明滅させることができるようになっている。
【００５８】
この浴槽型の色刺激健康器８１の使用方法を説明すると、使用者は先ず浴槽８１Ａ内に通常の浴槽で入浴する場合と同様に入浴する。この際、各投光窓８２は、全て水面の中に位置している。
【００５９】
ここで、浴槽８１Ａの一部に設けられている、図示しない防水仕様に設計された操作パネルの操作ボタンを押して、所望の色を選択すると、各投光窓８２内に設けられた各色の発光ダイオードのうち、選択された色のもののみが明滅を開始する。
【００６０】
このとき、例えば青色に関係したツボを色刺激したい場合は、青色を発光する操作ボタンを押すと、各投光窓８２から浴槽８１Ａに張られた湯の中に向かって青い光が明滅して投光され、この色に関係したツボに色刺激を与える。
【００６１】
操作パネル上で他の色を選択した場合にも、同様にその選択した色に関係したツボに色刺激を与えることができる。また、黒色に関係したツボを色刺激する場合には、陰陽五行説で指定されていない色である緑色の発光ダイオードを明滅させることにより、黒色の色刺激を与えるようにしてある。
【００６２】
前記浴槽８１Ａは、ジャグジー等を装備したものでもよく、施療を目的としない時には、各投光窓８２から投光される色を様々に変化させて、イルミネーションとしても利用できるようにしてもよい。
【００６３】
また、本実施形態においては、発色手段として各色の発光ダイオードを用いているが、例えば投光窓８２にそれぞれ青色、赤色、黄色、白色、緑色の五色の異なった着色ガラスを用い、これらの投光窓３２の背後に白色の電球や発光ダイオードを配置して、浴槽８１Ａを所定に色にする場合には、その色の着色ガラスが装着された投光窓８２内の電球や発光ダイオードを選択的に明滅させるようにしてもよい。
【００６４】
【発明の効果】
以上説明したように、請求項１に記載した発明の色刺激健康器によれば、陰陽五行説において内臓と関係付けられている色のうち、少なくとも一つの色の光を生成して、前記色に関係する内臓に対応する身体表面のツボの位置または反射区の領域に前記色の光を当てることにより、前記ツボや反射区を刺激し、これらに対応する内臓の働きの調整や活性化を図るようにしたため、従来の鍼灸やマッサージ、低周波電気パルス等によってツボや反射区に刺激を加える施療方法と比較して、専門的な知識や技術を必要とせずに、簡単に且つ快適な施療を行うことができる。
【００６５】
また、請求項２に記載した発明の色刺激健康器によれば、ツボや反射区を色により刺激するための発色手段が、特定の色の光を発光させる少なくとも一つの光源で構成されているため、目的のツボや反射区に強い刺激を効果的に与えることができる。
【００６６】
また、請求項３に記載した発明の色刺激健康器によれば、黒色に関係する内臓のツボの位置または反射区の領域に対応させて可視光を発色する光源を配置し、この光源の明滅の繰り返しにより前記反射区またはツボに黒色刺激を与えるようにしているため、これらの反射区やツボを単に光が当たらない状態にして黒色刺激を与えようとする場合と比較して、効果的な刺激を得ることができる。
【００６７】
また、請求項４に記載した発明の色刺激健康器によれば、反射区またはツボを色で刺激するための発色手段として、反射区の領域またはツボの上を覆って、外光の中から前記内臓に関係する色の光のみ透過する柔軟素材を用いているため、光源やこれを発光させるための電源装置等が不要となり、自然光や室内の照明光が施療部位に入射可能な状態であれば、ツボや反射区の色刺激による施療をより手軽に行うことができる。
【図面の簡単な説明】
【図１】本発明の色刺激健康器の１実施形態を示す斜視図である。
【図２】図１における色刺激健康器の上面パネルの主要部分を示す平面図である。
【図３】図１における色刺激健康器における発光ダイオード５Ａの取り付け構造を示す断面図である。
【図４】本発明の別の実施形態を示すサンダル型色刺激健康器の斜視図である。
【図５】本発明の別の実施形態を示す指輪型色刺激健康器の斜視図である。
【図６】発光ダイオードの発光色と手指の対応関係を示す図である。
【図７】本発明のさらに別の実施形態を示す、手袋型色刺激健康器、及び、リストバンド型色刺激健康器の斜視図である。
【図８】本発明のさらに別の実施形態を示す、靴下型色刺激健康器の斜視図である。
【図９】本発明のさらに別の実施形態を示す、足首バンド型色刺激健康器の斜視図である。
【図１０】本発明のさらに別の実施形態を示す。浴槽型色刺激健康器の斜視図である。
【符号の説明】
１      色刺激健康器
１Ａ    上面パネル
１Ｂ    操作パネル
１Ｃ    赤外線受光窓
２、３  輪郭線
４Ａ    領域（青色）
４Ｂ    領域（赤色）
４Ｃ    領域（黄色）
４Ｄ    領域（白色）
４Ｅ    領域（黒色）
５Ａ    発光ダイオード（青色）
５Ｂ    発光ダイオード（赤色）
５Ｃ    発光ダイオード（黄色）
５Ｄ    発光ダイオード（白色）
６      発光ダイオード（緑色）
７      カラーパネル
８      回路基板
９      端子
１０      孔
１１      凹部
１２      凸部
２１      色刺激健康器（サンダル型）
２１Ａ    上面
３１      色刺激健康器（指輪型）
３１      本体
３２      集光レンズ
４１      色刺激健康器（手袋型）
５１      色刺激健康器（手首バンド型）
６１      色刺激健康器（靴下型）
７１      色刺激健康器（足首型）
８１      色刺激健康器（浴槽型）
８１Ａ    浴槽
８２      投光窓
【図１】
2004174086.tif 000003
【図２】
2004174086.tif 000004
【図３】
2004174086.tif 000005
【図４】
2004174086.tif 000006
【図５】
2004174086.tif 000007
【図６】
2004174086.tif 000008
【図７】
2004174086.tif 000009
【図８】
2004174086.tif 000010
【図９】
2004174086.tif 000011
【図１０】
2004174086.tif 000012